(57)【要約】【課題】  スイッチングアンプおよびトランスを介して接続するスピーカーを備えていても、消費電力の増大を抑制し、良好な音声再生が可能な音声再生システムを提供する。【解決手段】  音声再生システムは、入力される音声信号をパルス幅変調またはパルス密度変調し、かつ、電力増幅して出力するスイッチングアンプと、スイッチングアンプからの出力信号を一次巻線側に入力し、二次巻線側から電圧レベルを変換した音声信号を出力するトランスと、トランスから出力される音声信号を音波に変換して音声再生するスピーカーと、スイッチングアンプからの出力、並びに、トランス変換回路の一次巻線側の入力の信号電位を、接地電位との間で終端処理する終端処理回路と、を備える。【選択図】  図１
2018046396.tif 000002
【特許請求の範囲】
【請求項１】
入力される音声信号をパルス幅変調またはパルス密度変調し、かつ、電力増幅して出力するスイッチングアンプと、
該スイッチングアンプからの出力信号を一次巻線側に入力し、二次巻線側から電圧レベルを変換した音声信号を出力するトランスと、
該トランスから出力される該音声出力信号を音波に変換して音声再生するスピーカーと、
該スイッチングアンプからの出力、並びに、該トランスの該一次巻線側の入力の信号電位を、接地電位との間で終端処理する終端処理回路と、
を備える、音声再生システム。
【請求項２】
前記スイッチングアンプが、キャリア信号の成分を減衰させて出力する低域通過フィルタ回路を含み、
前記終端処理回路が、前記信号電位と前記接地電位との間を抵抗素子および容量素子で直列接続して終端処理する、
請求項１に記載の音声再生システム。
【請求項３】
前記トランスが、前記一次巻線側に入力する音声信号を前記二次巻線側から減衰させて前記スピーカーに出力する、
請求項１または２に記載の音声再生システム。
【請求項４】
前記終端処理回路の前記抵抗素子および前記容量素子が、前記スイッチングアンプの前記低域通過フィルタ回路におけるカットオフ周波数に応じて選択される、
請求項３に記載の音声再生システム。
【請求項５】
請求項１から４のいずれかに記載の音声再生システムを構成する終端処理回路。
【発明の詳細な説明】
【技術分野】
【０００１】
本発明は、スイッチングアンプと、トランスと、スピーカーと、を備える音声再生システムに関し、特に、終端処理回路を用いて周波数特性の乱れを防ぐ音声再生システム、および、これを構成する終端処理回路に関する。
【背景技術】
【０００２】
音声信号を音波に変換して再生するスピーカーを含む音声再生システムでは、音声信号を増幅器（アンプ）で電力増幅して、電気音響変換器であるスピーカーへ供給し、可聴音域の音波を再生する。スピーカーでは、磁気回路およびボイスコイルを備える動電型スピーカーが一般的に使用される。動電型スピーカーでは、磁気回路の磁気空隙中に振動可能に配置されたボイスコイルに音声信号電流が供給されると、磁気空隙中の磁界により駆動力を受けるので、ボイスコイルに連結する振動板が振動して、その結果、音波が再生される。
【０００３】
また、アンプでは、電力変換効率の高いスイッチングアンプの使用が増加している。スイッチングアンプは、入力音声信号をパルス幅変調またはパルス密度変調などにより変調して、可聴音域よりも周波数がはるかに高いキャリア信号の成分を含む変調信号として電力増幅する。したがって、スイッチングアンプは、キャリア信号を除去する低域通過フィルタを備えるのが一般的である。スイッチングアンプは、低域通過フィルタを通過させた出力信号を動電型スピーカーへ供給することで、動電型スピーカー並びに動電型スピーカーへ音声信号を供給する接続コードから、不要輻射が発生するのを防止している。スイッチングアンプでは、低域通過フィルタを構成する場合に、コイルおよびコンデンサから構成されるＬＣフィルタが多用される。
【０００４】
また、音声再生システムでは、アンプの出力とスピーカーの入力との間に、トランスを接続する場合がある。トランスは、磁芯に巻いた一次巻線側に入力した音声信号を、電圧レベルを変換して昇圧または減衰した音声信号を二次巻線側から出力する。音声再生の周波数帯域を、例えば低音域／中音域／高音域などの複数帯域に分割して再生するマルチウェイアンプ／スピーカーシステムでは、複数のスピーカーの間での再生能率の差が存在する場合に、トランス式減衰回路をアンプの出力とスピーカーの入力との間に挿入して再生音圧レベルを調整することがある。
【０００５】
例えば、従来には、共振周波数が異なる二つの響体が合体してなるバッフル板の中間胴部の高共振点の付近にツイーターを設けると共に、二つの響体にウーファーを設け、ツイーターとウーファーがバーチカルツインスピーカーユニットの配列に設け、アンプからの入力信号をウーファーに行く低域信号とツイーターに行く高域信号に分割するパッシブネットワークにおいて、ツイーターへの入力電圧を減少させるアッテネータ回路にアッテネータトランスを採用したスピーカー装置がある。（特許文献１）。なお、特許文献１には、アンプがスイッチングアンプである場合についての記載並びに示唆は、存在しない。
【０００６】
また、音声信号を増幅し、トランスを含む伝送ラインを介してスピーカーに伝送するオーディオ用増幅装置においては、スイッチングアンプが使用される場合がある（特許文献２）。例えば、従来には、電気音響変換器用に適した電力増幅器に関して、ＰＷＭアンプと昇圧トランスとＬＰＦ（低域通過フィルタ）とを組み合わせた構成（図１（Ｅ））が記載されている（特許文献３）。
【０００７】
ただし、スイッチングアンプと、トランスと、スピーカーと、を備える音声再生システムでは、トランスによって昇圧または減衰した音声信号をスピーカーに出力すると、スイッチングアンプからみた電気インピーダンスが、トランスを接続しない場合に比べて大きく変化して、スイッチングアンプが備える低域通過フィルタのカットオフ周波数付近で鋭いピークを持ったインピーダンス周波数特性になってしまい、その結果、消費電力が増大し、良好な音声再生ができなくなるという問題が生じる場合がある。
【０００８】
【特許文献１】特開２０００−１１５８７８号公報
【特許文献２】特開２００９−２６８０１４号公報
【特許文献３】特開平９−１３０１５９号公報
【発明の概要】
【発明が解決しようとする課題】
【０００９】
本発明は、上記の従来技術が有する問題を解決するためになされたものであり、その目的は、スイッチングアンプおよびトランスを介して接続するスピーカーを備えていても、消費電力の増大を抑制し、良好な音声再生が可能な音声再生システムを提供することにある。
【課題を解決するための手段】
【００１０】
本発明の音声再生システムは、入力音声信号をパルス幅変調またはパルス密度変調し、かつ、電力増幅して出力するスイッチングアンプと、スイッチングアンプからの出力信号を一次巻線側に入力し、二次巻線側から電圧レベルを変換した音声信号を出力するトランスと、トランスから出力される音声信号を音波に変換して音声再生するスピーカーと、スイッチングアンプからの出力、並びに、トランス変換回路の一次巻線側の入力の信号電位を、接地電位との間で終端処理する終端処理回路と、を備える。
【００１１】
好ましくは、本発明の音声再生システムは、スイッチングアンプが、キャリア信号の成分を減衰させて出力する低域通過フィルタ回路を含み、終端処理回路が、信号電位と接地電位との間を抵抗素子および容量素子で直列接続して終端処理する。
【００１２】
好ましくは、本発明の音声再生システムは、トランスが、一次巻線側に入力する音声信号を二次巻線側から減衰させてスピーカーに出力する。
【００１３】
好ましくは、本発明の音声再生システムは、終端処理回路の抵抗素子および容量素子が、スイッチングアンプの低域通過フィルタ回路におけるカットオフ周波数に応じて選択される。
【００１４】
また、本発明の終端処理回路は、上記の音声再生システムを構成する。
【００１５】
以下、本発明の作用について説明する。
【００１６】
本発明の音声再生システムは、入力音声信号をパルス幅変調またはパルス密度変調し、かつ、電力増幅して出力するスイッチングアンプと、スイッチングアンプからの出力信号を一次巻線側に入力し、二次巻線側から電圧レベルを変換した音声信号を出力するトランスと、トランスから出力される音声信号を入力して、音波に変換して音声再生するスピーカーと、を備え、さらに、スイッチングアンプからの出力、並びに、トランスの一次巻線側の入力の信号電位を、接地電位との間で終端処理する終端処理回路を備える。終端処理回路は、インピーダンスマッチングをとってスイッチングアンプからみたトランス及びスピーカー側の電気インピーダンス周波数特性の急激な変化を抑制するので、消費電力の増大を抑制し、良好な音声再生が可能な音声再生システムが実現される。
【００１７】
具体的には、終端処理回路は、信号電位と接地電位との間を抵抗素子および容量素子で直列接続して終端処理する回路であり、スイッチングアンプが、キャリア信号の成分を減衰させて出力する低域通過フィルタ回路を含む場合には、鋭いピークを持ちやすい低域通過フィルタのカットオフ周波数付近での急激な特性変化を抑制することができる。終端処理回路は、トランス及びスピーカー側において、トランスを挿入することで発生しやすい共振現象を抑制する。
【００１８】
特に、トランスが一次巻線側に入力する音声信号を二次巻線側から減衰させてスピーカーに出力するアッテネータの場合には、トランス及びスピーカー側の電気インピーダンスが、スピーカーのみの場合に比べて大きく変化してしまう場合がある。したがって、終端処理回路の抵抗素子および容量素子を、スイッチングアンプの低域通過フィルタ回路におけるカットオフ周波数に応じて選択することで、スイッチングアンプの低域通過フィルタのカットオフ周波数付近で発生するピーク特性を防止することができる。
【発明の効果】
【００１９】
本発明の音声再生システム、および、これを構成する終端処理回路は、低インピーダンスマッチングをとってスイッチングアンプからみたトランス及びスピーカー側の電気インピーダンス周波数特性の急激な変化を抑制し、消費電力の増大を抑制し、良好な音声再生を可能にすることができる。
【図面の簡単な説明】
【００２０】
【図１】本発明の好ましい実施形態による音声再生システムについて説明する図である。（実施例１）
【図２】本発明の好ましい実施形態による音声再生システムの動電型スピーカーからみた入力電圧特性を説明する図である。（実施例１）
【発明を実施するための形態】
【００２１】
以下、本発明の好ましい実施形態による音声再生システム、および、これを構成する終端処理回路について説明するが、本発明はこれらの実施形態には限定されない。
【実施例１】
【００２２】
図１は、本発明の好ましい実施形態による音声再生システム１について説明する図であり、具体的には、音声再生システム１の構成を示すブロック図である。なお、説明に不要な一部の構造や、内部構造等は、図示ならびに説明を省略している。
【００２３】
音声再生システム１は、スイッチングアンプ２と、終端処理回路５と、トランス６と、動電型スピーカー７と、を含む。音声再生システム１は、スイッチングアンプ２の入力端子１１に入力される音声信号を増幅して出力端子１２に出力し、終端処理回路５およびトランス６を介して動電型スピーカー７の入力端子に入力する。その結果、音声再生システム１では、動電型スピーカー７が、増幅された音声信号を音波に変換して音声再生を行なう。
【００２４】
音声再生システム１は、スイッチングアンプ２の出力１２に接続する他の動電型スピーカー８を含んでいてもよい。動電型スピーカー８は、動電型スピーカー７とともに、増幅された音声信号を音波に変換して音声再生を行なう。図示する音声再生システム１では、音声入力信号は、１チャンネルのみのモノラル信号について説明するが、２チャンネルのステレオ信号であってもよく、また、３チャンネル以上のマルチチャンネル信号であってもよい。
【００２５】
スイッチングアンプ２は、入力端子１１に入力される音声信号を増幅して出力するスイッチング増幅部３を内部に含む。スイッチング増幅部３は、グランドされた接地電位を基準電位として、基準電位よりも大きな第１電位を有する第１電源と、基準電位よりも小さく第１電源とは極性が異なる第２電位を有する第２電源と、キャリア信号に基づいて入力音声信号をパルス幅変調するパルス変調回路と、２つのスイッチング素子を含む。２つのスイッチング素子は、パルス変調回路の出力に応じて第１電源および第２電源の電位、並びに基準電位を、スイッチング増幅部３の出力端子に出力する。なお、スイッチングアンプ２の内部構成は、図示を省略している。
【００２６】
パルス変調回路は、キャリア信号に基づいて入力音声信号をパルス幅変調して、第１パルス変調信号を一方のスイッチング素子に出力し、第１パルス変調信号と異なる第２パルス変調信号を他方のスイッチング素子に出力する。キャリア信号は、音声信号の周波数帯域（約20Hz〜20kHz）よりも遙かに高い周波数（例えば、約300kHz以上）の変調信号である。一方のスイッチング素子には、パルス変調回路からの第１パルス変調信号に応答してオン状態またはオフ状態になり、第１電位または基準電位のいずれかを、スイッチング増幅部３の出力端子に出力する。また、他方のスイッチング素子には、パルス変調回路からの第２パルス変調信号に応答してオン状態またはオフ状態になり、第２電位または基準電位のいずれかを、スイッチング増幅部３の出力端子に出力する。
【００２７】
したがって、スイッチング増幅部３の出力端子には、音声信号よりも遙かに周波数帯域が高いキャリア信号成分を含み、第１電位と第２電位との間でスイングする増幅されたパルス変調信号が出力される。増幅されたパルス変調信号は、増幅された入力音声信号を含み、キャリア信号成分を除去する低域通過フィルタを通過させると、入力された音声信号を電力増幅した出力信号として取り出すことができる。
【００２８】
そこで、スイッチング増幅部３からの出力信号は、コイルＬ／コンデンサＣ１から構成される低域通過フィルタ部４に入力される。低域通過フィルタ部４において、コイルＬは入力及び出力に直列接続され、コンデンサＣ１は、コイルＬの出力側を分岐して接地電位に接続される。低域通過フィルタ部４の出力は、スイッチングアンプ２の出力端子１２に接続される。その結果、スイッチングアンプ２の出力端子１２は、キャリア信号成分が除去されて、入力された音声信号を電力増幅した出力信号を出力する。
【００２９】
なお、スイッチングアンプ２のスイッチング増幅部３は、上記構成の構成に限らず、他の変調方式によるＤ級アンプであればよい。例えば、スイッチング増幅部３のパルス変調回路は、キャリア信号に基づいて入力音声信号をパルス密度変調する変調回路であってもよい。スイッチング増幅部３は、第１電位と第２電位との間でスイングする増幅された２値のパルス変調信号を出力するものでもよく、基準電位を含む３値のパルス変調信号を出力するものでもよい。
【００３０】
図１において、スイッチングアンプ２の出力端子１２には、動電型スピーカー７および８が接続されている。動電型スピーカー７は、他の動電型スピーカー８よりも能率が高く、同じ信号レベルの音声信号が供給された場合の再生音圧レベルが、動電型スピーカー８よりも動電型スピーカー７の方が高い。したがって、動電型スピーカー７および８の再生音圧レベルをそろえる目的で、動電型スピーカー７の入力端子１５には終端処理回路５およびトランス６が接続されて、これらを介してスイッチングアンプ２の出力端子１２に接続している。なお、動電型スピーカー８は、この音声再生システム１の動作を説明するために接続しているものであって、音声再生システム１における必須の構成要素ではなく、省略可能である。
【００３１】
トランス６は、電磁誘導を利用して入力電圧を異なる出力電圧に変換する変圧器であり、１次コイルＴ１に入力音声信号を供給し、変動磁場を発生させ、それを相互インダクタンスで結合された２次コイルＴ２に伝え、異なる信号レベルの出力音声信号を出力する。インピーダンス整合を行うトランス６は、アッテネータとして動作し、スイッチングアンプ２の出力端子１２から動電型スピーカー７の入力端子１５に入力される音声信号を減衰させる。減衰レベルＡＴＴ［ｄＢ］は、１次コイルＴ１と２次コイルＴ２との巻線比により設定される。したがって、音声再生システム１では、動電型スピーカー７および８の再生音圧レベルをそろえることができる。
【００３２】
また、終端処理回路５は、スイッチングアンプ２の出力端子１２に入力端子１３が接続され、トランス６の１次コイルＴ１に出力端子１４が接続される。終端処理回路５の入力端子１３および出力端子１４は、入力及び出力の信号電位が同電位になるように直接に接続されている。また、終端処理回路５は、信号電位と接地電位との間を抵抗素子Ｒおよび容量素子Ｃ２で直列接続して終端処理する回路である。
【００３３】
したがって、終端処理回路５は、スイッチングアンプ２からみたトランス６および動電型スピーカー７のインピーダンス整合を行う。終端処理回路５は、インピーダンスマッチングをとって、スイッチングアンプ２からみたトランス６及び動電型スピーカー７の電気インピーダンス周波数特性において発生する共振を抑制する。その結果、音声再生システム１では、動電型スピーカー７で信号レベルを減衰させて、動電型スピーカー８との再生音圧レベルをそろえることができ、良好な音声再生が可能になる。
【００３４】
図２は、音声再生システム１の動電型スピーカー７からみた入力電圧特性を説明する図である。具体的には、図２は、動電型スピーカー７の入力端子１５において、以下で述べるそれぞれの場合（ａ）〜（ｃ）の入力音声信号の電圧周波数特性（横軸：周波数、縦軸：電圧レベル）を表したグラフである。スイッチングアンプ２の出力信号は、低域通過フィルタ部４を介して出力されるので、キャリア信号を除去するように、低域通過フィルタのカットオフ周波数ｆｃ［Ｈｚ］以上の電圧レベルが低下する。動電型スピーカー７への入力音声信号も、基本的には同様の周波数特性を示す。
【００３５】
図２（ａ）は、比較例として、動電型スピーカー７に対して終端処理回路５およびトランス６を接続しない場合の電圧周波数特性を表す曲線である。図２（ａ）の場合には、アッテネータとして動作するトランス６を介していないので、カットオフ周波数ｆｃ［Ｈｚ］以下の周波数において、高い電圧レベルの音声信号が動電型スピーカー７の入力端子１５に入力されることになる。なお、図２（ａ）の電圧周波数特性の曲線は、図１における動電型スピーカー８への入力音声信号の場合に等価である。
【００３６】
次に、図２（ｂ）は、比較例として、動電型スピーカー７に対して終端処理回路５を接続せず、トランス６のみを接続する場合の電圧周波数特性を表す曲線である。図２（ｂ）の場合には、アッテネータとして動作するトランス６を介しているので、カットオフ周波数ｆｃ［Ｈｚ］以下の音声信号の周波数帯域において、図２（ａ）の場合に比べて電圧レベルがＡＴＴ［ｄＢ］減衰した音声信号が動電型スピーカー７の入力端子１５に入力されることになる。ただし、この場合には、スイッチングアンプ２からみた動電型スピーカー７側の電気インピーダンスが、トランス８を接続しない場合に比べて大きく変化して、スイッチングアンプ２が備える低域通過フィルタ部４のカットオフ周波数ｆｃ付近で共振が発生し、出力電圧周波数特性も鋭いピークを持周波数特性になってしまう。
【００３７】
図２（ｂ）のような場合には、スイッチングアンプ２が発振するなどの不具合を招くので、音声再生システム１は、良好な音声再生ができなくなるという問題が生じる場合がある。また、カットオフ周波数ｆｃ付近で発生する共振は、スイッチングアンプ２の消費電力を増大させるという不都合を生じる。
【００３８】
次に、図２（ｃ）は、本実施例として、動電型スピーカー７に対して終端処理回路５およびトランス６を接続する場合の電圧周波数特性を表す曲線である。図２（ｃ）の場合には、アッテネータとして動作するトランス６を介しているので、図２（ｂ）の場合と同様に、カットオフ周波数ｆｃ［Ｈｚ］以下の音声信号の周波数帯域において、図２（ａ）の場合に比べて電圧レベルがＡＴＴ［ｄＢ］減衰した音声信号が動電型スピーカー７の入力端子１５に入力されることになる。
【００３９】
さらに、この場合には、スイッチングアンプ２が備える低域通過フィルタ部４のカットオフ周波数ｆｃ付近で共振が発生しないように終端処理回路５がインピーダンス整合を行うので、カットオフ周波数ｆｃ付近でも減衰レベルＡＴＴ［ｄＢ］をほぼ一定に保つことができ、本来のアッテネータとしてのトランス６の動作を確保することができている。スイッチングアンプ２が発振するなどの不具合が発生しないので、音声再生システム１は、良好な音声再生が可能になる。また、カットオフ周波数ｆｃ付近で共振が発生しないので、スイッチングアンプ２の消費電力を増大することもない。
【００４０】
終端処理回路５は、抵抗素子Ｒおよび容量素子Ｃ２を、スイッチングアンプ２の低域通過フィルタ部４におけるカットオフ周波数ｆｃと、トランス６および動電型スピーカー７の電気インピーダンス特性に応じて、適切に選択すればよい。例えば、図２（ｂ）の場合に、動電型スピーカー７の電気インピーダンスが４Ωであり、トランス６の減衰レベルＡＴＴが約２０［ｄＢ］であり、低域通過フィルタ部４におけるカットオフ周波数ｆｃを規定するコイルＬのインダクタンスが０．１５ｍＨであり、コンデンサＣ１の容量が０．３３μＦである場合には、カットオフ周波数ｆｃが約７０ｋＨｚになる。したがって、図２（ｃ）の場合には、終端処理回路５は、抵抗素子Ｒを４Ωに設定し、容量素子Ｃ２を６．８μＦに設定すればよい。
【００４１】
したがって、音声再生システム１では、上記実施例で説明するように、スイッチングアンプ２においてキャリア信号の成分を低減する低域通過フィルタ部４を備えていても、トランス６を用いて適切な減衰特性を動電型スピーカー７に対して与えることができる。終端処理回路５は、スイッチングアンプ２の消費電力を増大させるカットオフ周波数ｆｃ付近で発生する共振を防止して、良好な音声再生が可能になる。
【００４２】
なお、トランス６が、一次巻線側に入力する音声信号を二次巻線側から昇圧させてスピーカーに出力する昇圧トランスの場合であっても、終端処理回路５は、インピーダンスマッチングをとってスイッチングアンプ２からみたトランス６及び動電型スピーカー７側の電気インピーダンス周波数特性の急激な変化を抑制する。したがって、音声再生システム１は、良好な音声再生が可能になる。
【００４３】
特に、この音声再生システム１は、音声再生の周波数帯域を、例えば低音域／中音域／高音域などの複数帯域に分割して再生するマルチウェイアンプ／スピーカーシステムの一部として利用可能である。例えば、低音域を再生するスピーカーと、中音高音域を再生するスピーカーとの間で再生能率の差が存在する場合に、一方側にトランス式減衰回路を挿入して再生音圧レベルを調整することがある。このような場合に、増幅器にスイッチングアンプ２を利用していても、終端処理回路５およびトランス６を介して動電型スピーカー７を接続すれば、スイッチングアンプ２の消費電力を増大させるカットオフ周波数ｆｃ付近で発生する共振を防止して、良好な音声再生が可能になる。
【００４４】
なお、本実施例の音声再生システム１では、別筐体のスイッチングアンプ２、終端処理回路５、トランス６、および動電型スピーカー７から構成される場合を説明及び図示したが、これらの構成要素は、一つの筐体に含まれてスピーカーシステムとして構成されていてもよく、また、組み立てて一つの音声再生システム１に構成するものであってもよい。終端処理回路５およびトランス６は、一体に構成されていてもよく、スイッチングアンプ２に含まれて構成されていてもよく、また、動電型スピーカー７に含まれる形で構成されていてもよい。また、動電型スピーカー７は、図示するような外磁型の磁気回路を備えて振動板及びボイスコイルが振動する直接放射型の動電型スピーカーに限らず、内磁型の磁気回路を備える動電型スピーカーであってもよい。
【産業上の利用可能性】
【００４５】
本発明の音声再生システムおよびこれを構成する終端処理回路は、音声信号を再生する音響装置、ステレオ装置のみならず、ディスプレイ等の映像・音響機器に内蔵するヘッドホン用増幅器を内蔵するゲーム機、電話機にも適用が可能である。
【符号の説明】
【００４６】
１        音声再生システム
２        スイッチングアンプ
３        スイッチング増幅部
４        低域通過フィルタ部
５        終端処理回路
６        トランス
７、８    動電型スピーカー
【図１】
2018046396.tif 000003
【図２】
2018046396.tif 000004